(57)【要約】【課題】本発明は、電源のオフ／オン操作を制約することなくＵＳＢ機器を正常に作動させることができ、様々なＵＳＢ機器が接続された場合でも不具合を発生させることなく確実に制御することが可能なＵＳＢ対応画像形成装置を提供することを目的とする。【解決手段】ＵＳＢ機器１００ａ及び１０１ａに電源電圧を供給するＶＢＵＳラインには電圧制御回路５５がそれぞれ接続されており、電圧制御回路５５は、電源電圧をオン又はオフするように制御する。電圧検知回路５６は、ＶＢＵＳラインに供給される電源電圧を監視する機能を備えており、電源電圧が所定電圧より低下した場合に検知信号を電圧制御回路５５に送信する。そして、電圧制御回路５５は、電源電圧が所定電圧より低下したことを示す検知信号を電圧検知回路５６から受信すると電源電圧を瞬時にオフする。【選択図】図３
2011183701.tif 000002
【特許請求の範囲】
【請求項１】
ＵＳＢコネクタに接続されたＵＳＢ機器との間で接続ラインを介してデータを送受信するとともにＶＢＵＳラインを介して電源電圧を供給するＵＳＢ送受信部と、前記ＵＳＢ送受信部を介して前記ＵＳＢ機器を制御する制御部と、前記電源電圧を検知する電圧検知手段と、前記ＶＢＵＳラインに接続されて前記電源電圧をオン・オフ制御するとともに前記電源電圧が所定電圧より低下したことを示す前記電圧検知手段からの検知信号に基づいて前記電源電圧をオフする電圧制御手段とを備えていることを特徴とするＵＳＢ対応画像形成装置。
【請求項２】
前記電圧制御手段は、前記電源電圧が所定電圧以上に上昇したことを示す前記電圧検知手段からの検知信号に基づいて前記電源電圧をオンすることを特徴とする請求項１に記載されたＵＳＢ対応画像形成装置。
【請求項３】
前記制御部は、接続可能な前記ＵＳＢ機器の識別データを登録する登録手段と、接続された前記ＵＳＢ機器の識別データが登録された識別データと一致するか判定する判定手段とを備え、識別データが一致しないと判定された場合に前記電圧制御手段をオフさせた後オンさせるように制御することを特徴とする請求項１又は２に記載されたＵＳＢ対応画像形成装置。
【請求項４】
前記制御部は、接続されたＵＳＢ機器からパケット応答が送信されない場合に前記電圧制御手段をオフさせた後オンさせるように制御することを特徴とする請求項１又は２に記載されたＵＳＢ対応画像形成装置。
【請求項５】
前記制御部は、省エネモード時の前記電源電圧のオフを設定する設定手段を備え、前記電源電圧のオフが設定されている場合には省エネモード移行時に前記電圧制御手段をオフさせるように制御することを特徴とする請求項１から４のいずれかに記載されたＵＳＢ対応画像形成装置。
【請求項６】
前記設定手段は、機器の稼働時間を設定可能であり、前記制御部は、設定された稼働時間内では前記電圧制御手段をオンさせるように制御することを特徴とする請求項５に記載されたＵＳＢ対応画像形成装置。
【発明の詳細な説明】
【技術分野】
【０００１】
本発明は、ＵＳＢインターフェースを備えた画像形成装置に関する。
【背景技術】
【０００２】
ＵＳＢコネクタを備えたホスト側装置とその周辺機器とを接続するインタフェース（Ｉ／Ｆ）として、ＵＳＢ（Universal Serial Bus）規格が多用されている。ＵＳＢは、パーソナルコンピュータ（ＵＳＢホスト）と周辺機器との通信インターフェースとして制定されたデータ伝送路に関する規格である。ＵＳＢでは、データ転送はＵＳＢホスト側装置主導で行い、周辺機器はＵＳＢホスト側装置からの要求に応じる形でデータの送受信を行っている。
【０００３】
パーソナルコンピュータ以外の電子機器でもＵＳＢが導入されてきており、例えば画像形成装置（マルチ・ファンクション・プリンタ、レーザプリンタ等）にＵＳＢホストポートを標準で搭載している機種が多くなっている。ＵＳＢホストポートには、ＵＳＢメモリの外に、ＵＳＢ接続コードを介して様々なＵＳＢ対応機器が接続可能で、オプションとして、ＩＣカードＲ／Ｗ、デジタルカメラ、ＳＤカードリーダといったＵＳＢ機器も接続されるようになっている。
【０００４】
ところで、こうした画像形成装置では、ＩＣカードＲ／Ｗを接続時に、装置の電源オフ／オン操作でＩＣカードＲ／Ｗを認識しない問題が生じている。これは、装置の電源をオフした際に電圧が瞬時にオフとならずに緩やかな立下り波形でオフとなるため、電圧が下がりきらない状態でオン操作が行われると、ＩＣカードＲ／Ｗ内で異常通信状態が発生することが原因であることがわかった。そのため、こうした電源オフ／オン操作の際にオン操作までの時間間隔を所定時間空けてオフ時の電圧が十分低下した後にオン操作することで対応している。
【０００５】
こうしたＵＳＢ機器の不具合を解消する方法としては、ＵＳＢ機器に対してハードリセット等の強制動作を実行することが行われている。例えば、特許文献１には、ＵＳＢ接続システムのホストから、ＵＳＢ機器に動作指示する動作指示信号をＵＳＢケーブル内のＶＢＵＳ線により送信し、ＵＳＢ接続システムのＵＳＢ機器に、送信された動作指示信号を検知して所定の動作を実行するようにし、標準のＵＳＢケーブルをそのまま用いて、ホストからＵＳＢ機器に対してハードリセット等の強制動作制御を実行する技術が開示されている。
【発明の概要】
【発明が解決しようとする課題】
【０００６】
しかし、従来から行われている電源オフ／オンの間隔を所定時間空けることをユーザに周知するという対策では、すべてのユーザに徹底させるのは困難であるという問題があった。また、特許文献１に開示された技術は、ＵＳＢ機器及びホスト側装置の両方が対応していないと機能せず、また、電源オフ／オン時の上述した不具合には対応していない。
【０００７】
そこで、本発明は、電源のオフ／オン操作を制約することなくＵＳＢ機器を正常に作動させることができ、様々なＵＳＢ機器が接続された場合でも不具合を発生させることなく確実に制御することが可能なＵＳＢ対応画像形成装置を提供することを目的とする。
【課題を解決するための手段】
【０００８】
請求項１の発明はＵＳＢ対応画像形成装置であって、ＵＳＢコネクタに接続されたＵＳＢ機器との間で接続ラインを介してデータを送受信するとともにＶＢＵＳラインを介して電源電圧を供給するＵＳＢ送受信部と、前記ＵＳＢ送受信部を介して前記ＵＳＢ機器を制御する制御部と、前記電源電圧を検知する電圧検知手段と、前記ＶＢＵＳラインに接続されて前記電源電圧をオン・オフ制御するとともに前記電源電圧が所定電圧より低下したことを示す前記電圧検知手段からの検知信号に基づいて前記電源電圧をオフする電圧制御手段とを備えていることを特徴とする。
請求項２の発明は請求項１に記載されたＵＳＢ対応画像形成装置であって、前記電圧制御手段は、前記電源電圧が所定電圧以上に上昇したことを示す前記電圧検知手段からの検知信号に基づいて前記電源電圧をオンすることを特徴とする。
請求項３の発明は請求項１又は２に記載されたＵＳＢ対応画像形成装置であって、前記制御部は、接続可能な前記ＵＳＢ機器の識別データを登録する登録手段と、接続された前記ＵＳＢ機器の識別データが登録された識別データと一致するか判定する判定手段とを備え、識別データが一致しないと判定された場合に前記電圧制御手段をオフさせた後オンさせるように制御することを特徴とする。
請求項４の発明は請求項１又は２に記載されたＵＳＢ対応画像形成装置であって、前記制御部は、接続されたＵＳＢ機器からパケット応答が送信されない場合に前記電圧制御手段をオフさせた後オンさせるように制御することを特徴とする。
請求項５の発明は請求項１から４のいずれかに記載されたＵＳＢ対応画像形成装置であって、前記制御部は、省エネモード時の前記電源電圧のオフを設定する設定手段を備え、前記電源電圧のオフが設定されている場合には省エネモード移行時に前記電圧制御手段をオフさせるように制御することを特徴とする。
請求項６の発明は請求項５に記載されたＵＳＢ対応画像形成装置であって、前記設定手段は、機器の稼働時間を設定可能であり、前記制御部は、設定された稼働時間内では前記電圧制御手段をオンさせるように制御することを特徴とする。
【発明の効果】
【０００９】
本発明は、上記の構成を有することで、ＶＢＵＳラインを介してＵＳＢ機器に供給される電源電圧が所定電圧より低下した場合にオフされるので、装置の主電源がオフ／オン操作の際に瞬時に電源電圧がオフされた後オンされるようになり、正常なオフ／オン操作を行うことができる。
【図面の簡単な説明】
【００１０】
【図１】本発明の実施形態に係る画像形成装置の全体斜視図である。
【図２】画像形成装置の中央部側断面図である。
【図３】画像形成装置の制御系の要部ブロック構成図である。
【図４】主電源スイッチをオン・オフ操作した場合のＶＢＵＳラインの電源電圧の制御に関する処理フローである。
【図５】主電源オフ時（時刻ｔ0）のＶＢＵＳ電源の立下り波形を示すグラフである。
【図６】ＵＳＢ機器を接続して登録する際の処理フローである。
【図７】ＵＳＢ機器を接続した際のデータ送受信に関する処理フローである。
【図８】省エネモード設定時におけるＵＳＢ機器への電源供給設定に関する処理フローである。
【発明を実施するための形態】
【００１１】
以下、本発明の実施形態について図面を用いて説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明の実施形態に係る画像形成装置の全体斜視図であり、図中、画像形成装置１００は、原稿の読取り信号により所謂電子写真方式によって画像形成を行う画像形成部１、原稿を自動的に送って読取りを行わせる自動原稿給送部２、両面印刷を行うために片面に印刷された用紙の移動方向を反転させる反転給紙機構３、用紙の給紙部４及び各種印刷設定を行い且つ設定結果等を表示する操作表示部５を有する。そして、操作表示部５が設けられた操作台には前面にＵＳＢコネクタ６が設けられており、ＵＳＢメモリの外に、ＩＣカードＲ／Ｗ、ＳＤカードリーダといったＵＳＢ機器が直接接続されるようになっている。また、ＵＳＢ接続コードを用いてデジタルカメラ等のＵＳＢ機器も接続されるようになっている。
【００１３】
図２は、画像形成装置の中央部側断面図である。図２において、画像形成部１は、アルミニウム円筒表面に光導電性物質である有機半導体層を設けて構成した感光体ドラム１１、感光体ドラム１１の有機半導体層を一様に帯電させるための導電性弾性ローラ１２、レーザー光源１３及びその光学系を含み感光体ドラム上に静電潜像を形成するための露光ユニット１４、感光体ドラム１１上の静電潜像にトナーを付着させて現像を行う現像器１５、感光体ドラム１１上に現像されたトナー像を用紙Ｐに転写する転写器１６、トナー像が転写された用紙Ｐを挟持してトナー像を定着させる定着ローラ１７及び加圧ローラ１８、感光体ドラム１１の帯電を取除く除電器１９及び排紙ローラ２０からなる。
【００１４】
反転給紙機構３は、反転搬送路３１とその引込搬送路３２を有し、切換器３４が用紙Ｐを反転給紙機構３側に誘導するとき、一旦引込搬送路３２側に搬送される。搬送が終了すると、切換器３４が引込搬送路３２の入り口部分を遮断するとともに、反転ローラ３３が矢印方向に回転することにより、反転搬送路３１側へと搬送され、搬送ローラ３５により再び画像形成部１へと搬送される。
【００１５】
給紙部４のカセット４１、４２に収納された用紙Ｐは、給紙ローラ４１ａ、４２ａにより給紙され、搬送ローラ２１、２２によって画像形成部１を経て、切換器２３が排紙ローラ２０側に誘導するときは、排紙ローラ２０により排紙部２４に排紙される。
【００１６】
手差し給紙部４３は、特殊サイズの用紙を手差しで給紙できる給紙部であり、給紙ローラ４４を経て画像形成部１に給紙される。
【００１７】
図３は、画像形成装置の制御系の要部ブロック構成図である。制御部５０は、ＣＰＵ等の情報処理装置を備え、画像形成装置全体の制御を行うもので、ＵＳＢコネクタ６に接続されたＵＳＢ機器に対して書込み処理や読出し処理等の制御処理を行う。操作表示部５は、操作キー及び液晶表示パネルを用いて利用者の操作入力や各種データ表示を行う。画像形成部５１は、上述したように用紙への画像形成処理を行うもので、給紙、トナー画像形成、転写、定着及び排紙といった一連の処理を行う。記憶部５２は、制御処理に必要な各種データ、各種パラメータ、履歴データ等の情報を格納する不揮発性メモリ及び制御処理のための作業エリア、画像データの蓄積等に用いる揮発性メモリを備えている。また、装置全体の電源をオン・オフするための主電源スイッチ５３が設けられている。
【００１８】
制御部５０には、ＵＳＢ機器との間でデータを送受信するＵＳＢ送受信部５４が接続されており、ＵＳＢ送受信部５４は、ＧＮＤライン、Ｄ１−ライン、Ｄ１＋ライン及びＶＢＵＳラインの４本のデータ伝送路を介してＵＳＢ機器と接続される。そして、ＶＢＵＳラインにより装置側からＵＳＢ機器に対して電源電圧が供給される。この例では２つのＵＳＢ機器１００ａ及び１０１ａとライン接続してそれぞれのＵＳＢ機器とデータの送受信を行うようになっている。
【００１９】
各ＵＳＢ機器に電源電圧を供給するＶＢＵＳラインには電圧制御回路５５がそれぞれ接続されており、電圧制御回路５５は、電源電圧をオン又はオフするように制御する。電圧検知回路５６は、ＶＢＵＳラインに供給される電源電圧を監視する機能を備えており、電源電圧が所定電圧より低下した場合又は電源電圧が所定電圧以上に上昇した場合検知信号を電圧制御回路５５に送信する。そして、電圧制御回路５５は、電源電圧が所定電圧より低下したことを示す検知信号を電圧検知回路５６から受信すると電源電圧をオフし、電源電圧が所定電圧以上に上昇したことを示す検知信号を電圧検知回路５６から受信すると電源電圧をオンするようにオン・オフ制御する。この例では、ＵＳＢ機器毎に電圧制御回路５５が設けられているので、ＵＳＢ機器に供給される電源電圧を個別にオン・オフ制御することができる。
【００２０】
制御部５０は、ＵＳＢデータ処理部５０１、オン・オフ制御部５０２、登録処理部５０３、判定部５０４及び設定部５０５を備えている。ＵＳＢデータ処理部５０１は、接続されたＵＳＢ機器に対してデータの書込み処理及び読出し処理等のデータ処理を行う。オン・オフ制御部５０２は、電圧制御回路５５をオン・オフ制御してＵＳＢ機器のリセット処理や省エネモード設定時の処理を行う。登録処理部５０３は、ＵＳＢ機器が接続された場合にＵＳＢ機器の識別データを登録処理する。判定部５０４は、登録処理されたＵＳＢ機器の識別データと再取得された識別データとが一致するか判定する。識別データとしては、例えばベンダＩＤやプロダクトＩＤが用いられる。設定部５０５は、省エネモード時のＵＳＢ機器への電源電圧の供給停止に関する設定や装置の稼働時間の設定等の省エネモードに関する設定処理を行う。
【００２１】
図４は、主電源スイッチをオン・オフ操作した場合のＶＢＵＳラインの電源電圧の制御に関する処理フローである。画像形成装置の主電源スイッチ５３をオン操作すると（Ｓ１００）、装置の起動処理が開始されてＶＢＵＳラインの電源供給が開始される（Ｓ１０１）が、電圧制御回路５５はオフ状態のままであるので、ＵＳＢ機器に対しては電源電圧の供給停止状態が維持される。
【００２２】
ＶＢＵＳラインの電源供給開始とともに電圧検知回路５６が電源電圧を監視し、電源電圧が所定値以上に上昇したかチェックする（Ｓ１０２）。そして、電圧検知回路５６が所定値以上に上昇したことを検知すると、検知信号を電圧制御回路５５に出力し、電圧制御回路５５は電圧検知回路５６からの検知信号に基づいてオン状態となり（Ｓ１０３）、ＵＳＢ機器に電源電圧が供給されるようになる（Ｓ１０４）。電源電圧が供給されると、ＵＳＢ機器は動作を開始してＵＳＢ送受信部５４とデータの送受信を開始する。
【００２３】
次に、主電源スイッチ５３をオフ操作すると（Ｓ１０５）、ＶＢＵＳラインに供給される電源電圧も低下するようになるが、電圧検知回路５６が電源電圧を監視し、電源電圧が所定値より低下したかチェックする（Ｓ１０６）。そして、電圧検知回路５６が所定値より低下したことを検知すると、検知信号を電圧制御回路５５に出力し、電圧制御回路５５は電圧検知回路５６からの検知信号に基づいてオフ状態となり（Ｓ１０７）、ＵＳＢ機器に供給される電源電圧が瞬時に停止されるようになる（Ｓ１０８）。
【００２４】
以上のような電源電圧のオン・オフ制御によりＵＳＢ機器に供給される電源電圧が確実に供給停止となってＵＳＢ機器に対して正常なオン・オフ動作を行うことができる。
【００２５】
図５は、従来の装置の主電源オフ時（時刻ｔ0）のＶＢＵＳ電源の立下り波形を示すグラフ（図５（ａ））及び本発明に係る装置の主電源オフ時（時刻ｔ0）のＶＢＵＳ電源の立下り波形を示すグラフ（図５（ｂ））である。従来の装置では、電源電圧は緩やかに低下していき、５Ｖの電源電圧が０．２Ｖ程度まで低下するのに１０秒以上かかっており、いったん主電源をオフした場合には１０秒以上経ってから主電源をオンしないとＵＳＢ機器を正常に作動させることができない。これに対して、本発明に係る装置では、電源電圧は瞬時に低下しており、５Ｖの電源電圧が０．２Ｖ程度に低下するのに１秒もかかっていない。そのため、主電源をオフ操作した直後にオン操作してもＵＳＢ機器を正常に作動させることができる。
【００２６】
このようにＶＢＵＳラインに設けられた電圧制御回路を用いることでＵＳＢ機器に対する電源電圧を確実にオン・オフ制御できるので、他の様々な制御処理においても電圧制御回路を用いて電源電圧のオン・オフさせることが可能となる。
【００２７】
図６は、ＵＳＢ機器を接続して登録する際の処理フローである。まず、主電源スイッチ５３をオン操作して装置に電源を供給する（Ｓ２００）。そして、ＵＳＢ機器を登録するために操作表示部５の操作キーを押下して管理者モードに移行し（Ｓ２０１）、登録するＵＳＢ機器をＵＳＢコネクタに接続する（Ｓ２０２）。
【００２８】
接続されたＵＳＢ機器にＶＢＵＳラインから電源電圧が供給されてＵＳＢ送受信部５４との間でデータの送受信を行い、登録処理部５０３がＵＳＢ機器から識別データを取得する（Ｓ２０３）。なお、電源電圧は所定電圧以上に上昇しているので、電圧制御回路５５はオン状態となっている。登録処理部５０３は、操作表示部５に取得した識別データを表示して登録ＯＫボタンが操作されると記憶部５２に取得した識別データを登録する（Ｓ２０４）。
【００２９】
識別データの登録処理が完了すると、オン・オフ制御部５０２が電圧制御回路５５をオフさせてＵＳＢ機器に供給される電源電圧を一旦停止した後再度オンするように制御する（Ｓ２０５）。こうした電圧制御回路５５のオフ・オン動作によりＵＳＢ機器がリセットされる。そして、再度ＵＳＢ機器から識別データを取得し（Ｓ２０６）、再取得した識別データと登録した識別データとが一致するかチェックする（Ｓ２０７）。一致しない場合には、上述した電圧制御回路５５のオフ・オン動作を３回実行したかチェックし（Ｓ２０８）、３回実行していない場合には再度オフ・オン動作を実行する（Ｓ２０９）。そして、ステップＳ２０６に戻り、再度ＵＳＢ機器の識別データを取得して登録された識別データと一致するかチェックする。ステップＳ２０８において３回チェックしても識別データが一致しない場合には、ＵＳＢ機器が使用不可である表示を行って（Ｓ２１０）終了する。ステップＳ２０７において再取得した識別データが登録された識別データと一致した場合には処理を終了し、正常なＵＳＢ機器が接続されたものとして次の処理に移行する。
【００３０】
以上説明したように、電圧制御回路５５によりＵＳＢ機器に供給する電源電圧を瞬時にオフできるので、電源電圧をオフした後にオンするリセット処理によりＵＳＢ機器を再度立ち上げて識別データをチェックし、正常なＵＳＢ機器であるか正確に判定することが可能となる。
【００３１】
図７は、ＵＳＢ機器を接続した際のデータ送受信に関する処理フローである。ＵＳＢ機器が接続されると（Ｓ３００）、ＵＳＢ送受信部５４を介してＵＳＢデータ処理部５０１がＵＳＢ機器にアクセスしてデータの送受信が開始される（Ｓ３０１）。データ送受信を開始後ＵＳＢ機器からパケット応答があったかチェックし（Ｓ３０２）、応答がない場合にはアクセスを繰り返し行い、所定時間経過したかチェックする（Ｓ３０３）。
【００３２】
それでも応答がない場合はＵＳＢ機器がハングアップの状態になっている可能性があるので、上述した電源電圧のオフ・オン動作によるリセット処理を実行する。まず、オン・オフ制御部５０２がオフ・オン動作を３回行ったかチェックし（Ｓ３０４）、３回行っていない場合には電圧制御回路５５に対して電源電圧のオフ・オン動作を実行するよう制御する（Ｓ３０５）。再度ＵＳＢ機器を立ち上げた後、ステップＳ３０２に戻り、再度アクセスしてパケット応答があるかチェックする。以後パケット応答がない場合には電源電圧のオフ・オン動作を繰り返し、３回チェックしてもパケット応答がない場合には、ＵＳＢ機器が使用不可である表示を行って（Ｓ３０６）終了する。ステップＳ３０２においてパケット応答があった場合には処理を終了し、正常なＵＳＢ機器が接続されたものとして次の処理に移行する。
【００３３】
以上のように、電圧制御回路５５によりＵＳＢ機器に供給する電源電圧を瞬時にオフできるので、電源電圧をオフした後にオンするリセット処理によりＵＳＢ機器を再度立ち上げてパケット応答の有無をチェックし、ＵＳＢ機器のハングアップを解消して正常に作動させることが可能となる。
【００３４】
図８は、省エネモード設定時におけるＵＳＢ機器への電源供給設定に関する処理フローである。まず、設定操作を行うために操作表示部５の操作キーを押下して管理者モードに移行し（Ｓ４００）、省エネモードの設定を選択する（Ｓ４０１）。次に、ＵＳＢ機器への電源供給に関してオフ／オン設定を行い（Ｓ４０２）、稼働時間の設定を行う（Ｓ４０３）。
【００３５】
設定操作後省エネモードの設定処理を開始し（Ｓ４０４）、ＵＳＢ機器への電源供給がオフ設定かチェックし（Ｓ４０５）、オフ設定の場合には現在の時刻が稼働時間内かチェックする（Ｓ４０６）。稼働時間内でない場合には、オン・オフ制御部５０２が電圧制御回路５５をオフ状態となるように制御し、ＵＳＢ機器への電源電圧の供給が停止する（Ｓ４０７）。ステップＳ４０５においてＵＳＢ機器への電源供給がオン設定の場合及びステップＳ４０６において稼働時間内と判定された場合には電圧制御回路５５はオン状態のままとなる（Ｓ４０８）。そして、電源電圧のオン状態又はオフ状態がセットされた後、省エネモードに移行する（Ｓ４０９）。
【００３６】
以上のように、電圧制御回路５５を制御してＵＳＢ機器への電源電圧を個別にオフすることができるので、省エネモードにおいてＵＳＢ機器への電源供給を停止してきめ細かく省エネ対策を行うことができる。また、ＵＳＢ機器への電源電圧を瞬時にオフすることができるので、電源電圧の供給停止の際にＵＳＢ機器に不具合が生じることを防止することが可能となる。
【符号の説明】
【００３７】
１・・・画像形成部、２・・・自動原稿給送部、３・・・反転給紙機構、４・・・給紙部、５・・・操作表示部、６・・・ＵＳＢコネクタ、５０・・・制御部、５１・・・画像形成部、５２・・・記憶部、５３・・・主電源スイッチ、５４・・・ＵＳＢ送受信部、５５・・・電圧制御回路、５６・・・電圧検知回路。
【先行技術文献】
【特許文献】
【００３８】
【特許文献１】特開２００６−４８４９６号公報
【図１】
2011183701.tif 000003
【図２】
2011183701.tif 000004
【図３】
2011183701.tif 000005
【図４】
2011183701.tif 000006
【図５】
2011183701.tif 000007
【図６】
2011183701.tif 000008
【図７】
2011183701.tif 000009
【図８】
2011183701.tif 000010